(57)【要約】【課題】構成が簡易で、設置作業が容易で、且つ、コストが安価で、軽量化が実現され、従来の発熱パネルにくらべて発熱及びその維持管理に要する電力が大幅に低減される暖房用材料を提供する。【解決手段】第１の平面板１と第２の平面板２とを有し、且つ、第１と第２の平面板１、２との間にハニカム構造体３が間挿されてなる基板部４であって、基板部４に於けるハニカム構造体３の一部が切除６されて形成された第１の空間部７に、通電操作により発熱し、且つ、自己温度制御機能を有する線状発熱体部８が埋め込まれている暖房用材料１００。【選択図】図１
2016085027.tif 000002
【特許請求の範囲】
【請求項１】
所定の長さと幅とを有する第１の平面板と第２の平面板とを有し、且つ当該第１と第２の平面板の間に所定の長さと幅とを有し且つ所定の高さを有するハニカム構造体が間挿されて構成された立体矩形形状からなる基板部から構成されており、当該基板部は、更に、当該ハニカム構造体の少なくとも一部が切除され、当該ハニカム構造体が切除されて形成された第１の空間部に、通電操作により発熱すると共に自己温度制御機能を有する線状或いは帯状の長尺状発熱体部が嵌め込まれており、且つ、当該長尺状発熱体部に接続され、当該長尺状発熱体部に電力を供給する為の接続配線部の一部が当該ハニカム構造体内部を介して当該基板部外部に導出せしめられている事を特徴とする暖房用材料。
【請求項２】
当該第１の空間部は、当該部分に於ける当該ハニカム構造体の当該所定の高さ部分が完全に切除されている事を特徴とする請求項１に記載の暖房用材料。
【請求項３】
当該長尺状発熱体部は、更に当該長尺状発熱体部の外周部が、熱伝導性と蓄熱性を有する部材で被覆されている事を特徴とする請求項１又は２に記載の暖房用材料。
【請求項４】
当該熱伝導性と蓄熱性を有する部材で被覆されている線状或いは帯状の長尺状発熱体部が、当該空間部内部に於いて、当該ハニカム構造体及び当該第１及び第２の各平面板とに密接接合されている状態で嵌め込まれている事を特徴とする請求項３に記載の暖房用材料。
【請求項５】
当該熱伝導性と蓄熱性を有する部材で被覆されている線状或いは帯状の長尺状発熱体部は、当該第１の空間部内部に於いて、当該ハニカム構造体の第１の補強部材として機能するものである事を特徴とする請求項３又は４に記載の暖房用材料。
【請求項６】
当該第１の補強部材は、当該ハニカム構造体内部に１個若しくは複数個相互に独立して配置されている事を特徴とする請求項３乃至５の何れかに記載の暖房用材料。
【請求項７】
当該線状或いは帯状の長尺状発熱体部のそれぞれに通電するために、当該暖房用材料の当該基板部に於ける適宜の側面部に設けられている、外部電源と接続される適宜のコネクター部に接続されており、当該ハニカム構造体内部に延展されている接続配線部と当該長尺状発熱体部のそれぞれの当該発熱部から導出されているリード線部分とからなる配線部に対応する当該ハニカム構造体に於ける当該第１の空間部とは異なる部位が部分的に切除され、当該ハニカム構造体が切除されて形成された第２の空間部に、当該リード線部分及び当該接続配線部が嵌め込まれている事を特徴とする事を特徴とする請求項１乃至６の何れかに記載の暖房用材料。
【請求項８】
当該第２の空間部は、当該部分に於ける当該ハニカム構造体の当該所定の高さ部分が完全に切除されている事を特徴とする請求項７に記載の暖房用材料。
【請求項９】
当該配線部は、当該配線部の外周部が、熱伝導性と蓄熱性を有する部材で被覆されている事を特徴とする請求項７又は８に記載の暖房用材料。
【請求項１０】
当該熱伝導性と蓄熱性を有する部材で被覆されている当該配線部が、当該第２の空間部内部に於いて、当該ハニカム構造体及び当該第１及び第２の各平面板とに密接接合されている状態で嵌め込まれている事を特徴とする請求項８又は９に記載の暖房用材料。
【請求項１１】
当該熱伝導性と蓄熱性を有する部材で被覆されている当該配線部は、当該第２の空間部内部に於いて、当該ハニカム構造体の第２の補強部材として機能するものである事を特徴とする請求項７乃至１０の何れかに記載の暖房用材料。
【請求項１２】
当該コネクター部は、当該暖房用材料の当該基板部に於ける対応する２辺の側壁部のそれぞれに相互に対向する部位に配置されている事を特徴とする請求項７乃至１１の何れかに記載の暖房用材料。
【請求項１３】
当該第１及び／又は当該第２の空間は、当該第１若しくは第２の平面板の何れかの外面表面から切断用刃体を所定の形状に沿って、当該ハニカム構造体の高さ方向に切り込ませ、当該平面板の一部と当該ハニカム構造体の一部とが一体的に所定の形状に切除されている事を特徴とする請求項１乃至１２の何れかに記載の暖房用材料。
【請求項１４】
当該切り込み・切除操作が実行された当該第１若しくは第２の平面板の何れかの外面表面の当該切除された部分は、当該第１及び／又は第２の補強部材の表面により、当該該第１若しくは第２の平面板と面一の状態に形成されているか、或いは、当該第１若しくは第２の平面板と同じ材料からなる平面板により、当該該第１若しくは第２の平面板と面一の状態に埋め戻されている事を特徴とする請求項１３に記載の暖房用材料。
【請求項１５】
当該第１若しくは第２の平面板の少なくとも一方は、放熱性及び／又は遠赤外線放射性の高い材料で構成されている事を特徴とする請求項１乃至１４の何れかに記載の暖房用材料。
【請求項１６】
当該第１若しくは第２の平面板の少なくとも一方の表面に、更に遠赤外線放射性の高い材料からなる別の層が形成されている事を特徴とする請求項１５に記載の暖房用材料。
【請求項１７】
当該コネクター部のそれぞれは、相互に隣接して配置される別の当該暖房用材料に於けるコネクター部と相互に電気的に着脱自在可能な構成を有している事を特徴とする請求項７乃至１６の何れかに記載の暖房用材料。
【請求項１８】
請求項１乃至１７の何れかに記載された暖房用材料からなる少なくとも２枚の面状発熱体が、放熱性及び／又は遠赤外線放射機能の大なる当該第１若しくは第２の平面板の少なくとも一方の面が外側に位置する様に、相互に所定の間隙が存在する様に離反
した状態で対向して固定配置されている事を特徴とする屋内仕切り壁。
【請求項１９】
当該屋内仕切り壁に於ける当該間隙部の周縁部に形成されている開口端部の内、当該屋内仕切り壁が、屋内の所定の部位に於いて垂直に立設された場合に、水平線と直交する方向に平行に形成される相互に対応する一対の周縁部が閉鎖されている特徴とする請求項１８に記載の屋内仕切り壁。
【請求項２０】
請求項１乃至１９の何れかに記載された暖房用材料を壁材として使用するに際し、当該暖房用材料の一平面板上に、先端部に槍状の先鋭突起部が形成されている棒状体部からなるパネル固定ピンを複数個配列固定すると共に、当該壁材の所定の領域内に、当該複数本の当該パネル固定ピンを受け入れる為のパネル固定ピン嵌合金具が複数本配置形成されると共に、当該パネル固定ピン嵌合金具の少なくとも一部内に、適宜の被覆材によって、接着がその内部に被覆されて形成されたた包含されたカプセル状接着手段を挿入しておき、当該パネル固定ピンの先端頭部が当該パネル固定ピン嵌合金具保持部内に到達した際に当該パネル固定ピンの槍状の先端頭部２０１が当該カプセル状に形成された接着手段の当該被覆材２１５を突き破り、当該カプセル状に形成された接着手段内に保持されていた予め設定された必要量の接着剤２１６が、当該保持部２１２内に拡散して、当該パネル固定ピンを当該パネル固定ピン嵌合金具２１０内に固定保持する様に構成された接着システムを使用する事を特徴とする当該暖房用材料からなる壁材の配置接合方法。
【請求項２１】
請求項１乃至１７の何れかに記載の当該暖房用材料から構成されている床暖房用材料であって、当該第１の平面板が遠赤外線を放射する機能を有する天然石若しくは人工石で構成されると共に、当該第２の平面板が、保温性若しくは断熱性を有する木製若しくは合成樹脂製板状体で構成されている事を特徴とする床暖房用材料。
【請求項２２】
請求項１乃至１７の何れかに記載の当該暖房用材料から構成されている床暖房用材料であって、当該第１の平面板が、熱伝導性の大なる板状体部材で構成されると共に当該第１の平面板の外表面部に遠赤外線を放射する機能を有する天然石若しくは人工石が接合されており、且つ、当該第２の平面板が、保温性若しくは断熱性を有する木製若しくは合成樹脂製板状体で構成されている事を特徴とする床暖房用材料。
【請求項２３】
請求項１乃至１７の何れかに記載の当該暖房用材料から構成されているこたつパネル若しくは行火パネルであって、当該第１の平面板が遠赤外線を放射する機能を有する天然石若しくは人工石で構成されると共に、当該第２の平面板が、保温性若しくは断熱性を有する合成樹脂製板状体で構成されていると共に、当該第２の平面板が、当該基板部の側壁周縁を被覆する様に延展せしめられている事を特徴とするこたつパネル若しくは行火パネル。
【請求項２４】
請求項１乃至１７の何れかに記載の当該暖房用材料から構成されているこたつパネル若しくは行火パネルであって、当該第１の平面板が、熱伝導性の大なる板状体部材で構成されると共に当該第１の平面板の外表面部に遠赤外線を放射する機能を有する天然石若しくは人工石が接合されており、且つ、当該第２の平面板が、保温性若しくは断熱性を有する合成樹脂製板状体で構成されていると共に、当該第２の平面板が、当該基板部の側壁周縁を被覆する様に延展せしめられている事を特徴とするこたつパネル若しくは行火パネル。
【請求項２５】
当該第２の平面板が、当該基板部の側壁周縁を被覆する様に延展せしめられていると共に、当該遠赤外線を放射する機能を有する天然石若しくは人工石の周縁部で額縁部を形成している事を特徴とする請求項２３又は２４に記載のこたつパネル若しくは行火パネル。
【請求項２６】
当該遠赤外線を放射する機能を有する天然石若しくは人工石の周縁部にテーパー部が形成されている事を特徴とする請求項２３又は２４に記載のこたつパネル若しくは行火パネル。
【請求項２７】
こたつパネル若しくは行火パネルは、ペット用暖房用材料である事を特徴とする請求項２３乃至２６の何れかに記載のこたつパネル若しくは行火パネル。
【発明の詳細な説明】
【技術分野】
【０００１】
本発明は、暖房用材料に関するものであり、特に詳しくは、発熱効率が高く、耐久性を有し、軽量で、施工が容易でコストも安価な床パネル或いは壁パネル、更には、人用或いはペット用に使用されるこたつや行火等のパネル材を含む暖房用材料に関するものである。
【背景技術】
【０００２】
従来、暖房用材料としては、壁材及び床材用のパネル構造のものが一般的に使用されているが、その中で、主な構造としては、例えば、実公昭６０−１７６０１８号公報（特許文献１）に示す様に、適宜の基板部と適宜の発熱表面との間に、温水を循環させるパイプを張り巡らせるか、例えば、特開２００９−２９９９９０号公報（特許文献２）に示す様に、適宜の電熱線を長い配線路に沿って張り巡らせると共に、伝熱板としてアルミニウム板を使用する技術が開示され、更に、当該アルミニウム板からなる伝熱板の外表面に、セラミックパウダー、又は花崗岩系石材等を塗布又は圧着させた技術が示されている。
【０００３】
然しながら、アルミニウム板熱伝導性は優れているものの、強度に弱く、成型加工に適していないことから、実用化されたという実績がみられない。
更には、例えば、特開２０１１−１７９７３８号公報（特許文献３）に示す様に、温水を循環させるパイプと電熱線とを並列させた発熱線を長い配線路に沿って張り巡らせる構造のものが知られてはいるが、当該構造は複雑である為、かつ、当該パネル全体が大型であり、関連設備も大型となるので、コストが高騰するばかりでなく、その一部が故障、破損した場合でも、全体のシステムを取り換えるとか、修理する必要があるので、維持費も膨大となると言う問題が有った。
【０００４】
一方、従来の暖房用材料としては、その外表面には、木材系の合板や化粧板、或いは合成樹脂製の化粧シート等が使用されている為、発熱体からの発熱が十分に当該パネルの上面側に伝達されない為、エネルギー効率が悪く、或は、木材内蔵タイプのものは、剥離し易く、又、余計なエネルギーコストが掛ると言う問題も見られた。
【０００５】
その他、従来の暖房用材料としてのパネルの発熱部の構造は、主として、ポリカーボネート合成樹脂からなる平面版の表面に、通電により発熱する発熱線条体を適宜の印刷技術を使用してプリントした構造のものが使用されているが、当該ポリカーボネート合成樹脂は、熱に弱く、耐久性がないので、経時的に短期間で劣化・疲労する為、商品価値が乏しいと言う欠点があり、更に係る問題を解決する方法として、当該ポリカーボネート合成樹脂に繊維を混在させた所謂、ＦＲＰ化ポリカーボネート合成樹脂を使用するという技術が提案されてはいるが、コストが高騰すると言う問題が生じている。
【０００６】
尚、上記特許文献２には、建物用発熱パネルの外表面に、金属製の薄板を使用する例が示されてはいるが、係る発熱パネルは、木造建築に於ける根太の使用を省略し、直接大引に取り付けて使用する事を目的とする床暖房材である為、基部材料として厚みのある合板を使用する事を大前提とするものであるから、当該発熱パネル自体が大型で重量が嵩み、コストは増加するほか汎用性に欠けるものでしかなかった。
【０００７】
一方、当該暖房用材料の重量を軽量化し、コストの低減と作業工程の簡略化を目的として、当該暖房用材料の内部構成材料として、アルミ材料を含む適宜の隔壁構造材料を使用したハニカム構造体を使用する事も提案されており、例えば、特開２００４−２２３９１７号公報（特許文献４）には、当該暖房用材料の内部構成材料としてハニカム構造体を使用し、その上面に、当該ハニカム構造体の上縁部に沿って発熱用の導電線を配置した構造のパネルが開示されており、又、特開２００６−４６０４７号公報（特許文献５）及び特開２００６−１８３９８２号公報（特許文献６）には、ハニカム構造体を内層部に配置した暖房用パネルに於いて、当該ハニカム構造体の隔壁部に貫通穴部を形成し、当該貫通穴部に後から発熱用の電熱線を通過させて配置した構造を有する床パネル部材が開示されている。
【０００８】
係る公知例に於いては、当該暖房用材料として、その内層部分にハニカム構造体を使用することから、当該暖房用材料そのものの重量は軽量化され、製造コストの低減に寄与する様に見受けられるが、当該ハニカム構造体の内部に発熱用の電熱線を、当該ハニカム構造体の隔壁部に相当数の貫通穴部を形成させた上に、当該貫通穴部に後から、発熱用の電熱線を貫通させる操作は極めて複雑で時間の掛かる作業となるので、作業効率は悪く、その結果、製造コストは大幅に増大すると共に、当該ハニカム構造体そのものは本質的に熱伝導性が極めて劣るので、当該暖房用材料を予め設定された所定の温度にまで上昇させる迄にかなりの時間が掛かると共に、その状態を維持管理するにも余計な電力を補給が必須であることから、電力料金を含む維持管理費用、つまり、ランニングコストが大幅に上昇するという大きな欠点が存在している。
【先行技術文献】
【特許文献】
【０００９】
【特許文献１】実公昭６０−０１７６０１８号公報
【特許文献２】特開２００９−２９９９９０号公報
【特許文献３】特開２０１１−１７９７３８号公報
【特許文献４】特開２００４−２２３９１７号公報
【特許文献５】特開２００６−０４６０４７号公報
【特許文献６】特開２００６−１８３９８２号公報
【発明の概要】
【発明が解決しようとする課題】
【００１０】
従って、本発明の目的は、上記した従来技術の問題点を改良し、構成が簡易で、設置作業が容易であり、且つ、コストが安価であると共に、軽量化が実現され、然も高重量物が反復押圧印加した場合でも、耐久性を維持し長期使用に耐えられると同時に、発熱効果、保温効果にすぐれ且つ遠赤外線放射機能を有する部材を組み合わせる事により、より健康的な暖房効果を発揮する保温材料が得られる事から、商品価値が高まり然も施工並びにそれらの保全や修理が容易かつ簡易であり、更に当該施工・維持管理に要する費用が安価であり、更には、その維持費並びに消費エネルギーに対するコストも低減化されなど、従来の発熱パネルにくらべて発熱及びその維持管理に要する電力が大幅に低減されることにより、維持管理費用を大幅に削減することが可能な暖房用材料を提供するものである。
【課題を解決するための手段】
【００１１】
本発明は、上記した従来技術の問題点を解決し、上記した本発明の目的を達成する為に、基本的には、以下に示す様な技術構成を採用するものである。
即ち、本発明の第１の態様は、所定の長さと幅とを有する第１の平面板と第２の平面板とを有し、且つ当該第１と第２の平面板の間に所定の長さと幅とを有し且つ所定の高さを有するハニカム構造体が間挿されて構成された立体矩形形状からなる基板部から構成されており、当該基板部は、更に、当該ハニカム構造体の少なくとも一部が切除され、当該ハニカム構造体が切除されて形成された第１の空間部に、通電操作により発熱すると共に自己温度制御機能を有する線状或いは帯状の長尺状発熱体部が嵌め込まれており、且つ、当該長尺状発熱体部に接続され、当該長尺状発熱体部に電力を供給する為の接続配線部の一部が当該ハニカム構造体内部を介して当該基板部外部に導出せしめられている事を特徴とする暖房用材料である。  
更に、本発明に係る当該暖房用材料の第２の態様としては、上記した構成を有する暖房用材料からなる少なくとも２枚の面状発熱体が、放熱性及び／又は遠赤外線放射機能の大なる当該第１若しくは第２の平面板の少なくとも一方の面が外側に位置する様に、相互に所定の間隙が存在する様に離反した状態で対向して固定配置されている事を特徴とする屋内仕切り壁である。
【発明の効果】
【００１２】
本発明に係る当該暖房用材料は、上記した様な、技術構成を採用している事から、従来技術の問題点を改良し、構成が簡易で、製造コストが安価であり、それによって当該暖房用材料の設置作業が容易であり、然も、発熱効率、遠赤外線放射機能に優れ、かつ保温・蓄熱効率に優れる事から、当該暖房用材料そのものの温度を所定の値に上昇させるための電力量が少なくて済み、更に保温性が高い事から、制御並びに保温維持システム自体の費用と設置費用に対するコストが安価であると共に、当該暖房用材料そのものの温度を所定の値に維持、管理する際の電力量も少なくて済むので、当該暖房用材料の施工・維持管理に要する費用が安価であり、更に、その維持費並びに消費エネルギーに対するコストも低減化されるという作用効果を発揮する。
更に、付言するならば、本発明に係る当該暖房用材料は、当該第１及び／又は当該第２の補強部材の存在によって、耐破壊強度も大幅に向上しているので、当該暖房用材料そのものに、高重量物が反復押圧印加した場合でも、耐久性を維持し長期使用に耐えられると言う優れた作用効果を発揮するものである。
又、本発明に係る当該暖房用材料は、空気中の水分率を低減することなく、人体、屋内、室内の温度上昇・保温効果を感じとれるので、空気の乾燥状態を非常に気にし、且つ問題視する、病院や寿司屋を含む飲食店、老人介護施設などの床材や壁材等の内装材、或いは炬燵・行火等の保温機器として使用するとその効果はてき面である。
【図面の簡単な説明】
【００１３】
【図１】図１（Ａ）は、本発明に係る暖房用材料１００の第１の態様に於ける一具体例の構成の一例を示す斜視図であり、図１（Ｂ）はそのＸ１−Ｘ１断面図である。
【図２】図２は、本発明に係る暖房用材料１００の第１の態様に於ける具体例の構成の一例を示す断面図である。
【図３】図３は、本発明に係る暖房用材料１００の第１の態様に於ける補強部材を使用した場合の具体例の構成を説明する断面図である。
【図４】図４（Ａ）は、本発明に係る暖房用材料１００の第１の態様に於ける一具体例の構成の別の例を示す斜視図であり、図１（Ｂ）はそのＸ１−Ｘ２断面図である。
【図５】図５は、本発明に係る暖房用材料１００の第１の態様に於ける他の具体例の構成例を示す平面断面図である。
【図６】図６は、本発明に係る暖房用材料１００の第１の態様に於ける配線部の構成を説明する平面図である。
【図７】図７は、本発明に係る暖房用材料１００の第１の態様に於ける一具体例に於ける切除操作後の空間部の形成状態を説明する斜視図である。
【図８】図８は、本発明に係る本発明に係る暖房用材料１００の第１の態様に於ける他の具体例に於ける第１及び第２の補強部材９、１０の構造を示す斜視図である。
【図９】図９は、本発明に係る暖房用材料１００の第１の態様に於ける他の具体例での組立完了状態を示す斜視図である。
【図１０】図１０は、本発明に係る暖房用材料１００の第１の態様に於ける一具体例での発熱部の構成例を示す断面図である。
【図１１】図１１は、本発明に係る暖房用材料１００の第１の態様に於ける一具体例での配線部とその接続形態の例を示すブロック図である。
【図１２】図１２は、本発明に係る暖房用材料１００の第２の態様に於ける一具体例に於ける取り付け装置の例を説明する図である。
【図１３】図１３は、本発明に係る暖房用材料１００の第２の態様に於ける一具体例に於ける取り付け装置の例を説明する拡大側面図である。
【図１４】図１４は、本発明に係る暖房用材料１００の第３の態様に於ける一具体例を説明する側面図である。
【図１５】図１５は、本発明に係る暖房用材料１００の第３の態様に於ける一具体例を説明する斜視図である。
【図１６】図１６（Ａ）及び図１６（Ｂ）は、本発明に係る暖房用材料１００の第３の態様に於ける一具体例を説明する側面図である。
【図１７】図１７は、本発明に係る暖房用材料１００の第４の態様である床暖房パネルの一具体例に於ける内部構造を説明する断面図及び斜視図である。
【図１８】図１８は、本発明に係る暖房用材料１００の第５の態様である炬燵パネル或いは行火パネルの一具体例に於ける内部構造を説明する断面図及び斜視図。
【図１９】図１９は、本発明に係る暖房用材料１００の第５の態様に於ける分解斜視図である。
【図２０】図２０（Ａ）は、本発明に係る暖房用材料１００の第５の態様に於ける最終製品の斜視図であり、図２０（Ｂ）は、図２０（Ａ）に於けるＡ−Ａ線断面図であり、図２０（Ｃ）は、図２０（Ａ）に於けるＢ−Ｂ線断面図である。
【発明を実施するための形態】
【００１４】
以下に本発明に係る当該暖房用材料の一具体例の構成を、図面を参照しながら詳細に説明する。
即ち、図１（Ａ）は、本発明に係る当該暖房用材料１００の基本的な態様についての一具体例の構成を示した斜視図であって、図中、所定の長さと幅とを有する第１の平面板１と第２の平面板２とを有し、且つ当該第１と第２の平面板１、２との間に所定の長さと幅とを有し且つ所定の高さを有するハニカム構造体３が間挿されて構成された立体矩形形状からなる基板部４から構成されており、当該基板部４は、更に、当該ハニカム構造体３の少なくとも一部が切除６され、当該ハニカム構造体３が切除されて形成された第１の空間部７に、通電操作により発熱すると共に自己温度制御機能を有する線状或いは帯状の長尺状発熱体部８が嵌め込まれており、且つ、当該長尺状発熱体部８に接続され、当該長尺状発熱体部８に電力を供給する為の接続配線部８１１、８１２の一部が当該ハニカム構造体３内部を介して当該基板部４外部に導出せしめられている事を特徴とする暖房用材料１００が示されている。
【００１５】
又、図１（Ｂ）は、図１（Ａ）に於ける線Ｘ１−Ｘ２で見た本発明に係る当該暖房用材料１００の断面図である。
本発明に係る当該暖房用材料１００の用途は特に限定はされないが、その一般的な利用形態としては、建物内の床の暖房に使用出来る床パネルとか、壁面部に使用される壁パネル等が主な用途として考えられる他、パネル状の新規な炬燵或いは行火としても効果的に使用する事が可能である。
そして、本発明に於ける当該建築内装材料１００の製造に当たっては、製造コストを出来るだけ少なくすると共に、軽量且つ耐久性、強靭性を併せ持つと共に、その内部構造も簡素化出来る材料から選択して構成されるものである事が望ましい。
係る観点から、本発明は、鋭意検討した結果、当該暖房用材料の内層部にハニカム構造体３を使用する技術思想に加えて、当該ハニカム構造体３は、もともと熱伝導性が悪いので、壁面材や床パネル等が所定の温度に迄到達するのに相当の時間を必要とするという欠点を解決する為に、当該ハニカム構造体３内部に所定の第１の空間部７を形成しておき、当該第１の空間部７内に、線条或いは帯状に形成された発熱体８を嵌め込む事により当該暖房用材料１００に、熱伝導性を大幅に向上させると共に、強力と耐久性とを付与したものである。
【００１６】
更に、本発明に於ける当該暖房用材料１００に於いて使用される矩形形状を有する当該基板部４は、その第１平面板１は、例えば、アルミ等の熱伝導性及び熱放電性効果の高い金属類で形成されているものであっても良く、一方当該第２の平面板２は、例えば、所謂通常の合成樹脂を使用して形成された合成樹脂層か或いは断熱性を有する材料で構成された適宜の層状体であってもよく、更には、補強等の目的で、当該合成樹脂内に、適宜の補強材、例えば、繊維、布帛類等を内蔵した合成樹脂層で形成されているものであっても良い。
又、本発明に於ける当該第１平面板１及び当該第２平面板２は相互に異なる材料で構成されたものであっても良く、或いは、双方とも同一の材料で構成されたものであっても良い。
更に、本発明に於いては、当該第１平面板１は、遠赤外線を放射する天然若しくは人工の石材、例えば、大理石、花崗岩等の板状体を使用する事も可能であり、更に場合によっては、当該第１平面板１は、熱伝導性及び熱放電性効果の高い金属類で形成されている板状体と当該遠赤外線を放射する天然若しくは人工の石材からなる、例えば、大理石、花崗岩等の板状体とを積層したものであっても良い。
【００１７】
更に、本発明に於いては、当該ハニカム構造体３としては、一般的に使用されているアルミ製のハニカム構造体３であっても良く、或いはこれに近似した材料で構成されたハニカム構造体を使用するものであっても良い。
特に本発明に於いては、当該建築内装材料１００の製造コストを低減させる事が目的の一つであるので、当該基板部４は、当該第１と第２の平面板１及び２を個別に別途用意しておき、一方、別途準備したハニカム構造体３とを、アセンブリして製造する事も可能ではあるが、本発明の目的には合致しない場合が多いので、好ましくは、既に市販されている当該第１平面板１及び当該第２平面板２との間に当該ハニカム構造体３を内蔵して形成されたパネル体である基板部４を購入し、当該市販の基板部４から、当該第１平面板１及び当該第２平面板２の一方の平面板とそれに接合されている当該ハニカム構造体３を適宜の切断手段、除切手段等を使用して、適宜の形で切断除去し、それによって形成された切除部６内に形成された所定の第１の空間部７内に、線状或いは帯状の長尺状発熱体部８を嵌め込んだ構成を有するものである。
【００１８】
処で、本発明に於いて、当該基板部４に当該第１の空間部７を形成する方法及びその形状等は特に限定されるものではないが、基本的には、図１（Ｂ）に示す様に、当該基板部４に於ける当該第１の平面板１の外表面部から当該ハニカム構造体３に向けて適宜の切断刃体(図示せず)を略垂直に切り下げて、当該第２の平面部２の上面部まで切れ目を入れ、当該切り裂き部分６に対応する当該一部分１’と当該ハニカム構造体３の当該一部分３’とを除去して、当該第１の空間部７を形成するものである。
その後、後述する本発明に適応する自己温度制御機能を有する当該線状或いは帯状の長尺状発熱体部８を当該第１の空間部７内に嵌め込み、その後、当該第１の空間部７の開口部分を、前記した切除操作工程で取り外した当該第１の平面部の一部分１’から同時取り外された当該ハニカム構造体３の一部分３’を除去した後に、当該開口部に被せて当該第１の平面部１の外表面を平坦化させるものである。
尚、本発明に於いては、別途容易した当該第１の平面部の材料と同等の特性を有する
補助平面部材１”を当該第１の平面部の外表面全体を被覆する様に接合させる様にしても良い。
一方、場合によっては、当該ハニカム構造体３の厚みを大きくしたハニカム構造体３を使用する必要がある暖房用材料１００を構成する場合には、当該ハニカム構造体３に形成される当該第１の空間部７の深さが、当該長尺状発熱体部８の厚みよりも深くなる場合が生じるが、その場合には、図２（Ａ）に示す様に、当該ハニカム構造体３を切り抜く際には、当該刃体を当該第２の平面部２の上端面まで到達させない様に切断除去する方法を採用する事が可能であり、又、図２（Ｂ）に示す様に、当該ハニカム構造体３を一旦、当該第２の平面部２の上端面まで到達する様に切除６したのち、当該第１の空間部７の開口部を閉鎖処理する際に、図２（Ｃ）及び（Ｄ）に示す様に、一旦取り出した、当該第１の平面部の一部分１’と当該ハニカム構造体３の一部分３’とからなる部材２００’から当該ハニカム構造体３の一部分３’の高さを適宜調整して形成した当該第１の平面部の一部分１’と当該ハニカム構造体３の一部分３”とからなる部材２０１’を用いて、閉鎖処理を行う事も可能である。
【００１９】
次に、本発明に於ける当該暖房用材料１００に於いては、当該基板部４の強度を更に向上させる必要性から、当該長尺状発熱体部８を嵌め込んだ当該第１の空間部を利用して、補強構造物を当該暖房用材料１００内に積極的に作り込み事を第２の基本的態様とするものである。
即ち、図３（Ａ）に示す様に、本発明に於ける当該第２の構成態様においては、当該長尺状発熱体部８は、更に当該長尺状発熱体部８の外周部が、熱伝導性と蓄熱性を有する部材９’で被覆されているものであって、当該熱伝導性と蓄熱性を有する部材９’で被覆されている線状或いは帯状の長尺状発熱体部８が、当該第１の空間部７内部に於いて、当該ハニカム構造体３及び当該第１及び第２の各平面板１，２とに密接接合されている状態で嵌め込まれているものである。
その結果、当該熱伝導性と蓄熱性を有する部材９’で被覆されている線状或いは帯状の長尺状発熱体部８は、当該第１の空間部７内部に於いて、当該ハニカム構造体３の第１の補強部材９として機能するものである。
【００２０】
以下に本発明に係る当該暖房用材料１００の他の具体例の構成を、図面を参照しながら詳細に説明する。
即ち、図４（Ａ）は、本発明に係る当該暖房用材料１００の第２の具体的態様の構成を示した斜視図であって、図中、所定の長さと幅とを有する第１の平面板１と第２の平面板２とを有し、且つ当該第１と第２の平面板１、２との間に所定の長さと幅とを有し且つ所定の高さを有するハニカム構造体３が間挿されて構成された立体矩形形状からなる基板部４であって、当該基板部４に於ける当該ハニカム構造体３の少なくとも一部が切除６され、当該ハニカム構造体３が切除されて形成された第１の空間部７に、通電操作により発熱し、且つ、自己温度制御機能を有する線状或いは帯状の長尺状発熱体部８を内部に包含した熱伝導性と蓄熱性を有する部材９’で構成された第１の補強部材９が当該ハニカム構造体３及び当該第１及び／又は第２の各平面板１、２に密接接合する様に埋め込まれている事を特徴とする暖房用材料１００が示されている。
【００２１】
又、図４（Ｂ）は、図４（Ａ）に於ける線Ｘ１−Ｘ２で見た本発明に係る当該暖房用材料１００の断面図である。
そして、本発明に於ける当該暖房用材料１００の製造に当たっては、製造コストを出来るだけ少なくすると共に、軽量且つ耐久性、強靭性を併せ持つと共に、その内部構造も簡素化出来る材料から選択して構成されるものである事が望ましい。
係る観点から、本発明は、鋭意検討した結果、当該建築内装材料の内層部にハニカム構造体３を使用する技術思想に加えて、当該ハニカム構造体３は、もともと熱伝導性が悪いので、床パネル等が所定の温度に迄到達するのに相当の時間を必要とするという欠点を解決する為に、当該ハニカム構造体３内部に所定の空間部７を形成しておき、当該空間部７内に、線条或いは帯状に形成された発熱体８の外周部を適宜の蓄熱効果を有し、更に熱伝導性の高い材料）’により構成された補強機能を有す補強部材９を嵌入させ、同時に当該暖房用材料１００に、強力と耐久性とを付与したものである。
【００２２】
此処で、本発明に於いて使用される当該線条或いは帯状に形成された発熱体８の構成の一具体例について説明する。
即ち、本発明に於いて使用される当該線状或いは帯状の長尺状発熱体部８の構成について説明するならば、当該発熱体８としては、当然のことながら、従来でも使用されている１システムの様に、中空管で構成し、当該中空管内部に温水を循環通過させて、当該補強部材９を発熱させる方法も使用可能ではあるが、係る温水の循環システムを採用すると、温水を沸かす為の湯沸し設備が必要で、その為の電気、ガス等のエネルギー供給源が当然必要となると同時に、当該中空管内で当該温水を循環させる為の液体循環システムが別途必要となる等、設備全体が大型で設置コストが高額となる他、故障等が多発する可能性が高いので、維持コストの費用も膨大なものとならざるを得ない。
【００２３】
その為、本発明に使用される当該発熱体８は、電気を流すことにより発熱する線状或は帯状の長尺状発熱体８を使用するものである。
具体的に説明すると、本発明に於いては、基本的には、電力を使用して発熱を行わせるシステムが好ましいが、従来公知の二クロム線を使用した発熱手段では、発熱機能が不十分である他、消費電力が多すぎると言う問題点が存在する事から、経済的ではないと判断されており、結局、本発明に於いては、図１０（Ａ）及び図１０（Ｂ）に示す様に、一対の電極８１，８２の間に、炭素粒子と適宜の合成樹脂接着粒子とが混合された発熱層５３を配置して、それを適宜の絶縁性合成樹脂材料層５４で被覆し、断面が略円形をした構造（図１０（Ａ））とするか、断面が略扁平状をした構造（図１０（Ｂ））としたもので有っても良い。
【００２４】
そして、本発明に於ける第２の具体例に於いては、当該適宜の絶縁性合成樹脂材料層５４で被覆された当該発熱体８を、更に、熱伝導性が高く、発熱や放熱特性も大きく、然も蓄熱特性に優れ、且つ最終製品に於いては高い硬度を呈し、耐衝撃性や耐引張性に優れた材料で形成された材料からなる、主として合成樹脂材料から外層材９’で完全な密閉状態となる様に被覆して固化せしめたものである事が望ましく、それによって図１０（Ｃ）に示される様な第１の補強材９が完成するのである。
尚、当該第１の補強材９はその断面が、当該第１の空間部の断面形状に一致する様に略矩形状に形成されたものである事が望ましいが、これに制約されるものではない。
更に、本発明に於ける当該発熱体８にあっては、当該電極８１，８２を所定の電源に接続させて通電すると、当該発熱層５３が発熱するという発熱体８を使用する事が望ましい。
係る補強材として形成された当該発熱体部８を当該基板部４の当該ハニカム構成体３に形成された当該第１の空間部７内に嵌め込む操作は図３（Ａ）に例示されている通りであって、適宜の高熱伝導性を有する部材からなる版状体１”の適宜の部位に当該補強材９を接合させた部材を当該ハニカム構造体３の上面部から被覆する操作を行うことになる。
【００２５】
上記した発熱体８は、当該合成樹脂粒子が温度によってその体積が変化する様に設計されている場合には、当該発熱層５３に対する通電量が変化するので、所謂、自己温度制御機能を有する線状若しくは帯状の長尺状発熱体部８として使用する事が可能となる。
然も、上記した通り、本発明に於ける当該発熱手段８は、上記した通り、特に、線状或いは帯状の長尺状発熱体を使用する事が必要であり、その形状も円形断面を有する線状体構造のものとか、扁平状の断面を有する帯状の発熱体であるものもあり、何れの発熱体でも使用可能である。
【００２６】
一方、本発明に於ける当該第１の補強材９として、当該発熱体部８と併用して使用される材料９’としては、特に限定されるものではないが、例えば、蓄熱特性に優れた材料や熱伝導性や熱放熱特性の優れた材料或いは、遠赤外線放射特性に優れている材料等が使用される事が好ましく、例えば、蓄熱特性に優れた材料としては、コンクリート材料と同等の組成を有する板状体、セラミックス材料から構成される板状体からなる蓄熱材料、或いは、パラフィン系又は硫酸ナトリウム系合成樹脂成分を主体とする、液状或いは粒状の蓄熱材料、或いは、シリコーン系コーキング材を使用するものであっても良く、さらには、特開２０１０−１６３５１０号公報、特表２０１１−５２４９６６号公報、特許第５０８７１０２号公報等に開示されている蓄熱材料等を使用する事が可能である。
【００２７】
又、本発明に於ける当該基板部４で使用される当該第１平面板１と第２平面板２を構成する材料としては、特に限定されるものではないが、例えば、本発明に於いて使用されうる高い熱伝導性を有する金属製板状体が使用される事が望ましく、当該金属材料の種類は、例えば、アルミニウム、鉄、銅、ステンレス等の熱伝導性を有し、且つ放熱特性が大きい金属材料が使用可能であり、特には、熱伝導性を有し、且つ放熱特性が大きく、然も加工性に優れたガルバニウム製の金属材料を使用する事が望ましい。
本発明に於いては、断熱効果を有する断熱材料としては、例えば、ポリエチレン系、ポリプロピレン系或いはポリスチレン系等の合成樹脂からなる発泡体等が使用可能であり、それらの厚みは、適宜選択して使用する事が可能である。
【００２８】
一方、本発明に於いて使用されうる遠赤外線を放出機能を有する遠赤外線放射層を構成する原材料としては、炭素、セラミックス、トルマリン、火山岩、火山灰、アルミナ、蛍石、花崗岩等から選択された少なくとも一種の微細粒子が当該天板部１の少なくとも一部の外表面部上に、蒸着、焼き付け等の手段により形成されているか、炭素、セラミックス、火山岩、火山灰、アルミナ、蛍石等から選択された少なくとも一種の微細粒子を含む合成樹脂材料から構成されている層がラミネートされているものである事が望ましい。
つまり、上記成分の少なくとも一部が含まれている天然石或いは人工石が使用出来るものである。
又、本発明に於いては、当該基板４に当該発熱層８を単独で、或いは当該発熱層８に蓄熱特性に優れた材料や熱伝導性や熱放熱特性の優れた材料を被覆して形成された当該補強層９を埋め込んだ後に、当該第１若しくは第２平面板の上に更に、別の機能を有する被覆層を形成する事も可能であり、例えば、遠赤外線放射機能を有するフィルム、板状体等を張り付けるか、遠赤外線放射機能を有する粒状体を内蔵する塗料を塗布するか焼き付け塗装する事が可能である。
【００２９】
次に、本発明に於ける当該線状発熱体部８の使用本数及び配置形状の好ましい具体例に付いて説明するが、基本的には、本発明に於いて使用される当該線状発熱体部８の使用本数及び配置形状等は特に限定されるものではなく、当該線状発熱体部８を１本使用する場合であっても良く、或いはそれを複数本使用するものであっても良いが、例えば、図５に示す様に、当該基板部４の内部に於いて、所定の長さの直線状で、当該線状若しくは帯状の長尺状発熱体部８を３本（８−１、８−２、８−３）使用する場合には、当該各発熱体部８が互いに並列して、当該基板部４の長手方向線に沿って配置した場合には、それぞれの当該長尺状発熱体部８から導出されているリード線８１１と８１２を、当該基板部４の相対向するそれぞれの側壁面部１０１と１０２に個別的に設けられている適宜のコネクター部８５、８５’間に張設されているそれぞれの接続配線部８８、８９に接続させた配線部分９１を形成しているものである。
【００３０】
一方、図５及び図６及び図１１に示す様に、本発明に於ける一つの当該暖房用材料１００の当該基板部４内部の当該配線部９１の一方の当該コネクター部８５内に設けられている２種類のプラグ８６、８７を当該室内或いは屋内の適宜の部位に設置されている適宜の共通外部電源線１１０と適宜の部位で電気的に接続させると同時に、更に、当該配線部９１の他方の端部に設けられている当該コネクター部８５’内に設けられている２種類のプラグ８６’、８７’を隣接して、接合配置されている別の暖房用材料１００’に於ける当該基板部４’に於ける一方の当該コネクター部８５−２内に設けられている２種類のプラグ８６−２、８７−２とにそれぞれ電気的に接合し、係る操作を複数個の相互に隣接して配置されている他の基板部４間同士を全て電気的に接続した上で、発熱操作を実行することになる。
【００３１】
又、本発明に於ける好ましい具体例に於いては、当該発熱体８の形状は、図１或いは図４に示す様に、直線状のみではなく、波状、湾曲状、ジグザグ状等の配置構成を採用しても良い。
次に、本発明に於ける当該暖房用材料１００内部で使用される当該発熱体８或いは当該補強部材９の厚みは、当該基板部４の総厚みの長さから、当該第２平面板２の厚み分を差し引いた長さに設定される事が望ましく、場合によっては、当該基板部４に於ける当該ハニカム構造体３の厚さに等しい長さに設定する事も可能であるが、このばあいには、後工程で、当該第１平面板１の厚みに相当する当該第１平面板１と同一若しくは異なる材質からなる補正層１’を別途貼着する必要が生じる為、作業工程がそれだけ複雑となる。
又、図２（Ａ）或いは図２（Ｂ）に示す様に、当該ハニカム構造体３の厚さが、当該発熱体８の厚みよりも大きい場合には、当該ハニカム構造体３の切り取り長さ或いは切り取り残さの一部利用により調整する事が可能である。
一方、当該発熱体８が、当該補強層９として使用される場合には、当該ハニカム構造体３の深さは、当該補強層９全体の高さをこれに一致させる様に構成すれば良く、大きな問題とはならない。
本発明に於ける当該補強部材９の平面形状は特に限定されるものではないが、例えば、図１或いは図４に示す様に、長尺状に形成されている事が望ましく、その長さ、幅等は、任意に設定する事が可能である。
当該補強部材９の平面形状は場合によっては、波型や円形、楕円形を呈するものであっても良い。
更に、当該補強部材９の断面形状は、当該第１の空間部７の断面形状に一致させる事が望ましい。
【００３２】
又、本発明に於ける当該補強部材９の配置個数も特に限定されるものではないが、当該補強部材９が図１或いは図４に示す様に長尺状に形成されている場合にあっては、該基板部４の寸法に適応して、その必要幅の長さを勘案しながら、必要本数を決定する事が可能である。
図５は、当該基板部４内部に、３本の当該補強部材９が相互に独立して、且つ相互に平行な状態で配置されている具体例を示したものである。
上記した通り、本発明に於いては、当該切り込み・切除操作が実行された当該第１若しくは第２の平面板の何れかの外面表面の当該切除された部分は、当該第１及び／又は第２の補強部材の表面により、当該該第１若しくは第２の平面板と面一の状態に形成されているか、或いは、当該第１若しくは第２の平面板と同じ材料からなる平面板により、当該該第１若しくは第２の平面板と面一の状態に埋め戻されている事も好ましい具体例であり、又、当該第１若しくは第２の平面板の少なくとも一方は、放熱性及び／又は遠赤外線放射性の高い材料で構成されている事も望ましい具体例の一つである。
一方、当該第１若しくは第２の平面板の少なくとも一方の表面に、更に遠赤外線放射性の高い材料からなる別の層が形成されている事も別の好ましい具体例である。
更に、本発明に於いては、当該切り込み・切除操作が実行された当該第１若しくは第２の平面板の何れかの外面表面の当該切除された部分は、当該第１及び／又は第２の補強部材の表面により、当該該第１若しくは第２の平面板と面一の状態に形成されているか、或いは、当該第１若しくは第２の平面板と同じ材料からなる平面板により、当該該第１若しくは第２の平面板と面一の状態に埋め戻されている事も更に好ましい具体例の一つであり、又、当該第１若しくは第２の平面板の少なくとも一方は、放熱性及び／又は遠赤外線放射性の高い材料で構成されている事も望ましい具体例の一つである。
又、当該第１若しくは第２の平面板の少なくとも一方の表面に、更に遠赤外線放射性の高い材料からなる別の層が形成されている事も好ましい具体例である。
一方、図１、図４及び図５等に示された本発明の具体例に係る当該暖房用材料１００を実際に駆動させる為には、当該暖房用材料１００の外部に設けた適宜の電源１１０から必要な電力をそれぞれの当該発熱体８に於ける当該電極８１、８２に個別に供給する必要がある。
【００３３】
具体的には、図５に示す様に、当該３本の線状発熱体部８―１、８−２、８−３を互いに並列して、当該基板部４の長手方向線に沿って配置した場合には、それぞれの当該長尺状発熱体部８から導出されているリード線８１１、８１２を、例えば、当該暖房用材料１００の対向する２辺の側壁部にそれぞれ配置された適宜の孔部内部に設けられた適宜のコネクター部８５−１、８５−２ 内のそれぞれに、個別に設定されている、外部電源に接続可能な正極及び負極に該当するプラグ８６と８７（８６’と８７’）間に張設されている接続配線８８，８９とそれぞれ個別の線状発熱体部８―１、８−２、８−３に於けるそれぞれの当該リード線部８１１、８１２とを接続させて、必要な配線部９１を形成するものである。
係る構成は、図１に於ける当該線状発熱体部８のみを使用する場合も同じである。
係る配線部分９１は、従来と同じ手段を利用して、当該ハニカム構造体３の所定の部位に個別に適宜の孔つまり貫通孔をあけて、手動により配線を組み込む事が可能ではあるが、作業が複雑で、時間も掛ることから、経済的に不利である。
従って、この配線部分９１も、上記した当該発熱体部８を当該ハニカム構造体３内に埋設する方法と同一の方法を採用する事が望ましい具体例である。
尚、図６は、当該線状発熱体部８若しくは当該線状発熱体部８を内蔵した当該第１の補強部材９を２本使用する場合の構成例を示した平面図である。
【００３４】
つまり、当該配線部分９１は、当該補強部材９のそれぞれに通電するために、当該暖房用材料１００の適宜の側面部１０１、１０２に設けられている外部電源と接続される適宜のコネクター部８５、８５’間に張設されている接続配線８８，８９と、当該補強部材９を構成するそれぞれの当該発熱体部８の各電極８１、８２とをそれぞれ接続するリード線部８１１、８１２とで構成されているので、当該配線部分９１に対応する当該ハニカム構造体３’が部分的に切除され、当該ハニカム構造体３’が切除６’されて形成された第２の空間部７’に、当該リード線部分８１１、８１２や当該接続配線８８，８９からなる配線部分９１を内部に包含した熱伝導性と蓄熱性を有する部材で構成された第２の補強部材１０が当該ハニカム構造体３及び当該第１及び第２の各平面板１，２とに密接接合する様に埋め込まれていると言う構成を採用する事が望ましい。
【００３５】
本発明に於ける当該コネクター部８５，８５’は、当該暖房用材料１００に於ける当該基板部４の対応する２辺１０１，１０２の側壁部のそれぞれに相互に対向する部位に配置されている事が望ましく、更には、当該コネクター部８５，８５’は、当該基板部４の対応する２辺１０１，１０２の側壁部に設けた適宜の凹み部からなる孔部１０３内に設けられている事がより好ましい具体例である。
【００３６】
本発明に於ける当該暖房用材料１００に於いては、図１に示す様に、当該発熱体部８がそのままの形態で当該第１の空間部７内に嵌め込まれる場合に於いては、当該第２の空間部７’のみが補給部材とて機能するものであるが、図４に示す様に、当該発熱体部８が補強部材として当該第１の空間部７内に嵌め込まれる場合に於いては、当該第１の空間部７と当該第２の空間部７’とが補強機能を発揮する事になる。
更に、本発明に於いては、当該基板部４の主要構成部分である当該ハニカム構造体３の切断面と、蓄熱効果が高く、且つ熱伝導性の高い材料で構成されている当該第１と第２の補強部材９、１０の側壁面とが、直接的に且つ緊密に相互に密接した状態で嵌合固定されているので、当該ハニカム構造体３、３’全体への熱の伝搬がスムースに且つ短時間で実行されるので、当該暖房用材料１００の表面に於ける温度は、予め設定されている所定の温度にまで、短時間で均一な温度分布を以て上昇する事が可能となり、然も、従来に於けるハニカム構造体を主体とする床パネルに比べて多少重量は増加するが、逆に、従来の床パネルの重量に比べれば大幅な重量の軽減が実現されるので、製造コストの大幅な低減が実現されると同時に、発熱効率、保温効率、遠赤外線効果による温度感が何れも高くなるので、当該暖房用材料１００に於ける保温操作に必要な消費電力量は顕著に低減されるので節電効果、省エネ効果が大きく、長期間の維持管理費用も大幅に低減されると言う効果を奏するものである。  
係る効果は、本発明の他の具体例である、パネル状の炬燵或いは行火に於いても同様である。
【００３７】
更に、本発明に於いては、当該第１の補強部材９と当該第２の補強部材１０は、強固な骨材としての機能を発揮する事ができるので、当該基板部４の曲げ強度、破断強度、引張強度等をかなり向上させる事が可能であり、外部からの外力に対する耐久性の向上にも大きく寄与する。
然も、本発明に係る当該暖房用材料１００に於いては、主として、遠赤外線放射効果による雰囲気温度の向上効果が、大きく人体の温度感に影響を及ぼしているので、空気中の水分率を低減することなく、屋内、室内の温度上昇効果を感じとれるので、空気の乾燥状態を非常に気にし、且つ問題視する、病院、老人介護施設や寿司屋を含む各種飲食店などの床材や壁材等の内装材として使用するとその効果はてき面である。
此処で、本発明に係る当該暖房用材料１００の製造工程の一具体例を図６乃至図９を参照しながら詳細に説明する。
【００３８】
即ち、本具体例では、図６に示す様に、長尺状に形成された２本の発熱体８（８-１と８-２）とを相互に当該発熱体８の長手方向に平行に配置して、当該暖房用材料１００の当該基板部４内のハニカム構造体３内に配置設定する場合を想定したものであって、当該発熱体８-１と８-２の各電極８１、８２から延展されている各リード線８１１，８１２を、当該暖房用材料１００の対向する２辺の側壁面に形成されている一対のコネクター部８５、８５’間に張設されている一対の配線部８８、８９にそれぞれ接続して配線部を構成するものである。
係る具体例に於いて、先ず、当該第１と第２の空間部７及び７’が形成されていない図７に示す様な、市販されている所定のハニカム構造体を有する基板部４を用意する（場合によっては、係る基板部４を自作する場合もある）。
本発明で使用する当該市販の基板部４は、従来市販されている一般的なハニカム構造体３を有すると共に、当該第１平面板１と当該第２の平面板２が、上記した様な本発明の目的に適合した材料を有している市販のハニカム構造体を使用した基板部４である事が必要である。
【００３９】
そして、図７に示す様に、本発明で必要とする機能を有する第１平面板１及び第２平面板２とから構成される当該基板部４を使用し、当該第１平面板１及び／又は当該第２平面板２の何れかの外面表面から、従来周知の一般的な切断用刃体を使用して、予め定められた所定の形状に沿って当該ハニカム構造体３の内部で、当該第１平面板１と当該第２の平面板２の他方の平面板部の表面に達する深さに設定して、切り込ませ、当該平面板１或いは２の一部と当該ハニカム構造体３の一部とを一体的に所定の形状に切除し、当該切除部６、６’を形成し、そこに、当該所定の第１の空間部７及び第２の空間部７’を形成するものである。
本具体例に於いては、当該切除部６は、上記した当該発熱体８それ自身或いは当該発熱体８を内蔵した当該第１の補強部９の外部形状と完全に一致する形状に切り込んで、当該第１の空間部７を形成するものであり、一方、当該切除部６’ は、上記した当該配線部９１を内蔵した当該第２の補強部１０の外部形状と完全に一致する形状に切り込んで、当該第２の空間部７’を形成するものである。
【００４０】
一方、図８に示す様に、当該発熱体８を内蔵した当該第１の補強部９と当該配線部９１を内蔵した当該第２の補強部１０とを、上記した様に、蓄熱効果と熱伝導性に優れた材料で言った的に被覆して構成された総合補強部９２を、図７に示された当該空間部７及び７’の内径寸法と厳密に一致する外径寸法を有する様に、別途作成し、当該総合補強部９２を図９に示す様に、図７に示されている当該空間部７及び７’に嵌合挿入して本発明に係る当該暖房用材料１００が完成する。
勿論、当該発熱体８を補強部材で被覆せずに、そのままで使用する場合には、図８における当該第１の補強部９は、当該発熱体８のみで構成されるものである。
此処では、当該第１の補強部９と当該第２の補強部１０の上端平面と、当該基板部４の当該第１若しくは第２の平面板１又は２の上端面とは、面一に形成されているが、別の具体例では、当該第１の補強部９と当該第２の補強部１０の上端平面を予め、当該第１若しくは第２の平面板１又は２そのものの厚み分だけ減らした高さに設定しておき、当該部分に当該第１若しくは第２の平面板１又は２と同一の材質からなる平面板を別途作成して、当該凹み部に張り合わせる様にしても良い。
【００４１】
更に、図９に示す本発明に於ける具体例に於いては、当該総合補強部９２を当該基板部４の空間部７及び７’に嵌合挿入させて操作を完了したものの当該第１若しくは第２の平面板の少なくとも一方の表面に、更に遠赤外線放射性の高い材料からなる別の層４００を配置形成する事も可能である。
本発明に係る当該暖房用材料１００を屋内、室内の暖房床パネルとして適宜の床材の上に、複数個、相互に隣接して二次限定に配列して使用する事も可能であり、或いは壁パネルとして、適宜の壁部に複数個、相互に隣接して二次元状に配列して使用する事も可能である。
【００４２】
本発明を上記の様な具体例に従って使用する場合には、例えば、図１１に示す様に、複数個の当該暖房用材料１００、１００’、１００’”等を連続的に二次元的に隣接して配置した後、例えば、壁部１１２に近接する第１の当該暖房用材料１００の当該第１の側壁部１０１に設けられている第１のコネクター部８５の所定のプラグ部８６、８７を当該壁部近傍に配置されている適宜の外部電源１１０と電気的に接続すると共に、第１の当該暖房用材料１００の当該第１のコネクター部８５が設けられている側壁部１０１とは反対の側壁部１０２に設けられている当該第２のコネクター部８５’に於ける当該所定のプラグ部８６’、８７’を当該第１の当該暖房用材料１００に隣接して配置されている別の当該暖房用材料１００’の一方の側壁部１０１’に設けられている第１のコネクター部８５−２の所定のプラグ部８６−２、８７−２と電気的に個別に接続すると言う様にして、係る接続操作を継続して配線操作を完了する。
つまり、本発明に於ける当該コネクター部８５のそれぞれは、相互に隣接して配置される別の当該暖房用材料１００に於けるコネクター部８５−２と相互に電気的に着脱自在可能な構成を有している事が望ましい具体例である。
尚、本発明に係る当該暖房用材料１００を壁材として使用する場合でも、当該各暖房用材料１００間の電気的な接続方法は、変わりは無い。
【００４３】
又、本発明に係る当該暖房用材料１００を壁材として使用する場合には、店舗の暖房用壁材として最適であり、特には、室内に於ける空気中の水分率が所定の水分に維持されている必要性がある、すし屋を含む食材提供用店舗、生鮮食料品を販売提供する為の店舗、医者、病院等の所定の湿気の維持を必要とする屋内での暖房用壁材として、好ましい効果を演出する事が出来る。
尚、本発明に係る当該暖房用材料１００を壁材として使用する場合には、図１２乃至図１４に例示する通り、当該基板部４の裏面部に於ける当該第１若しくは第２平面板部の所定の部位に複数個のパネル固定ピン２００を固定配置すると共に、当該パネル固定ピン２００の基幹円筒部２０４の端部である先端頭部２０１を、槍先状の尖鋭頭部とすると同時に、その後端部２０２に、可とう性を持つ材料で構成された弾発性のフック部２０３を設けておき、一方、当該室内の壁部３００には、当該パネル固定ピン２００の配置位置と対応する部位に複数個の当該パネル固定ピン嵌合金具２１０が配置されており、且つ当該それぞれのパネル固定ピン嵌合金具２１０は、当該パネル固定ピン２００受け入れ導入孔部２１１とその先端部に設けられている当該パネル固定ピン２００の先端頭部２０１を受け入れるための保持部２１２とから構成されており、更に、当該導入孔部２１１と当該保持部２１２との接合部には、当該パネル固定ピン２００のフック部２０３と係合し、当該パネル固定ピン２００が脱落しない様に、当該フック部２０３を固定係止する、段差部２１３が設けられている事が望ましい。
【００４４】
更に、本発明に於ける好ましい具体例としては、図１３（Ａ）及び図１３（Ｂ）とに示す様に、当該パネル固定ピン嵌合金具２１０に於ける当該パネル固定ピンの先端頭部２０１の保持部２１２内には、予め、適宜の金属部材用接着剤２１６を適宜の被覆材２１５で被覆してカプセル状に形成された接着手段が挿入されており、当該パネル固定ピンの先端頭部２０１が当該パネル固定ピン嵌合金具２１０内に挿入され、その後当該パネル固定ピンの先端頭部２０１が当該保持部２１２内に到達した際に、当該パネル固定ピンの槍状の先端頭部２０１が当該カプセル状に形成された接着手段の当該被覆材２１５を突き破り、当該カプセル状に形成された接着手段内に保持されていた予め設定された必要量の接着剤２１６が、当該保持部２１２内に拡散して、当該パネル固定ピンの先端頭部２０１を当該パネル固定ピン嵌合金具２１０内の当該保持部２１２内に固定保持する事が出来る。
尚、当該接着剤２１６と当該被覆材２１５とは相互に相溶性を持っていない材料で構成されている事が必要である。
【００４５】
又、当該カプセル状に形成された接着手段は、必ずしも当該パネル固定ピン嵌合金具２１０に於ける当該パネル固定ピンの先端頭部２０１の保持部２１２にのみ設ける必要はなく、例えば、パネル固定ピン嵌合金具２１０に於ける、当該パネル固定ピン２００受け入れ導入孔部２１１内に設けたもので有っても良い。
以下に、本発明に係る当該暖房用材料１００を使用した別の具体例の構成を図１５乃至図１６を参照しながら詳細に説明する。
即ち、本発明に係る当該他の具体例の於いては、上記した構成を有する当該暖房用材料１００からなる少なくとも２枚の面状発熱体３００、３０１とが、放熱性及び／又は遠赤外線放射機能の大なる当該第１若しくは第２の平面板１，２の少なくとも一方の面が外側に位置する様に、相互に所定の間隙３０６が存在する様に離反した状態で対向して固定配置されている屋内仕切り壁３０３である。
【００４６】
本発明に於ける当該屋内仕切り壁３０３は、当該間隙部３０２が垂直方向に一致する状態で、縦型に配置設定して使用するものである。
本発明に於ける当該仕切り壁３０３の一具体例では、例えば、２枚の当該暖房用材料１００からなる基板部４であって、それぞれの当該基板部４に於ける当該第１の平面板１が、熱放熱性が高く設定され、且つ遠赤外線放射効果の高い材質からなる平面板１であって、当該第２の平面板２が、単なる絶縁材で構成されている平面板２で有った場合、当該２枚の当該暖房用材料１００からなる基板部４は、当該第２の平面板２が相互に対向する様に、適宜の長さを有する適宜のスペーサー３０５を介して所定の間隙部３０６が間挿される様に固定するものである。
【００４７】
更に、本具体例に於いては、当該屋内仕切り壁３０３に於ける当該間隙部３０６の周縁部に形成されている開口端部３０７の内、当該屋内仕切り壁３０３が、屋内の所定の部位に於いて垂直に立設された場合に、水平線と直交する方向に平行に形成される相互に対応する一対の周縁部３０７−１及び３０７−２が適宜の材料からなる帯状板部３０８によって閉鎖されている事が望ましい。
即ち、本発明に於ける当該具体例に於いては、当該暖房用材料１００からなる当該基板部４は通電操作により、短時間で且つ均一に内部温度が上昇して、当該基板部４の当該第１の平面板部１の温度は凡そ８０℃となる。
【００４８】
一方、当該暖房用材料１００からなる当該基板部４の当該第２の平面板２も、それが単に断熱材のみで構成されていた場合であっても、通常、当該暖房用材料１００からなる発熱パネルの裏側から約３０％の熱が放熱されて逃げてしまう事が分かっている。
従って、これまでにロスとして無駄にしてきた当該放熱エネルギーを何とか回収する必要から、今回の具体例では、当該暖房用材料１００からなる当該基板部４の２枚を相互に対向して配置し、所定の間隙３０６が形成される様、適宜のスペーサー３０５を介して固定し、室内の適宜の仕切り壁３０３として、使用する様に構成したものである。
【００４９】
つまり、本発明に於ける当該第２の具体例に於いては、当該線状或いは帯状の長尺状発熱体部８のそれぞれに通電するために、当該暖房用材料１００の当該基板部４に於ける適宜の側面部に設けられている、外部電源１１０と接続される適宜のコネクター部８５に接続されており、当該ハニカム構造体３内部に延展されている接続配線部８８，８９と当該長尺状発熱体部８のそれぞれの当該発熱部から導出されているリード線部分８１１，８１２とからなる配線部９１に対応する当該ハニカム構造体３に於ける当該第１の空間部７とは異なる部位が部分的に切除され、当該ハニカム構造体３が切除されて形成された第２の空間部７’に、当該リード線部分及び当該接続配線部が嵌め込まれている事を特徴とする事を特徴とする暖房用材料であり、更には、当該第２の空間部７’は、当該部分に於ける当該ハニカム構造体の当該所定の高さ部分が完全に切除されている事を特徴とする暖房用材料１００である。
更に、当該配線部９１は、当該配線部９１の外周部が、熱伝導性と蓄熱性を有する部材で被覆されている事を特徴とする暖房用材料１００であっても良く、又、当該熱伝導性と蓄熱性を有する部材で被覆されている当該配線部９１が、当該第２の空間部内部７’に於いて、当該ハニカム構造体３及び当該第１及び第２の各平面板１，２とに密接接合されている状態で嵌め込まれている事を特徴とする暖房用材料１００である。
一方、当該熱伝導性と蓄熱性を有する部材で被覆されている当該配線部９１は、当該第２の空間部内部７’に於いて、当該ハニカム構造体３の第２の補強部材として機能するものである事を特徴とする暖房用材料１００である。
【００５０】
即ち、本発明に於ける当該第２の具体例に於いては、上記した構成を有する当該暖房用材料１００からなる少なくとも２枚の面状発熱体が、放熱性及び／又は遠赤外線放射機能の大なる当該第１若しくは第２の平面板の少なくとも一方の面が外側に位置する様に、相互に所定の間隙が存在する様に離反した状態で対向して固定配置されている事を特徴とする屋内仕切り壁３０３が得られる。
そして、当該屋内仕切り壁３０３に於ける当該間隙部の周縁部に形成されている開口端部の内、当該屋内仕切り壁が、屋内の所定の部位に於いて垂直に立設された場合に、水平線と直交する方向に平行に形成される相互に対応する一対の周縁部が閉鎖されている特徴とする屋内仕切り壁である事も好ましい具体例である。
一方、本発明に於ける当該具体例に於いては、上記した当該暖房用材料１００を壁材として使用するに際し、当該暖房用材料の一平面板上に、先端部に槍状の先鋭突起部が形成されている棒状体部からなるパネル固定ピンを複数個配列固定すると共に、当該壁材の所定の領域内に、当該複数本の当該パネル固定ピンを受け入れる為のパネル固定ピン嵌合金具が複数本配置形成されると共に、当該パネル固定ピン嵌合金具の少なくとも一部内に、適宜の被覆材によって、接着がその内部に被覆されて形成されたた包含されたカプセル状接着手段を挿入しておき、当該パネル固定ピンの先端頭部が当該パネル固定ピン嵌合金具保持部内に到達した際に当該パネル固定ピンの槍状の先端頭部２０１が当該カプセル状に形成された接着手段の当該被覆材２１５を突き破り、当該カプセル状に形成された接着手段内に保持されていた予め設定された必要量の接着剤２１６が、当該保持部２１２内に拡散して、当該パネル固定ピンを当該パネル固定ピン嵌合金具２１０内に固定保持する様に構成された接着システムを使用する事を特徴とする当該暖房用材料からなる壁材の配置接合方法が提供される。
【００５１】
係る構成にすることによって、当該仕切り壁３０３内の間隙部３０５内に形成される空気層内に放出された熱は、当該空気による自然対流の発生にともなって、上昇して、当該仕切り壁３０３の上端部に形成された当該開口端部３０７―３から室内に放出されると同時に、当該室内の空気は、当該すると共に、当該仕切り壁３０３の下端部に形成された当該開口端部３０７−４から当該間隙部３０５内に自動的に引き込まれることになり、室内の空気全体が撹拌され、室内の温度を、当該基板部４の当該第１の平面板１から放熱される遠赤外線による輻射熱効果との相乗効果によって、より高温に且つより均一に、より迅速に、別のエネルギーを一切使用する事無いより経済的に、室内の温度を高温度化、均一化する事が可能になるので、省エネシステムが完成する。
即ち、本具体例に於いては、室内の暖房を当該基板部４からの輻射熱により効率的に暖房する事が可能であると共に、熱損率が無いので、効率の良いしかも安全性の高い暖房システムを提供する事が可能となる。
更に、本具体例に於いては、消費エネルギーが少ないため、電気代が少なく節電暖房が可能であり、軽量で呼称が少なく、メンテナンスフリーの暖房システムが完成される。
更に、本具体例に於いては、当該仕切り壁３０３は、その大きさに制限がなく、暖房装置としてのサイズが自由に設計できると同時に、当該基板部４の第１若しくは第２の平面板１、２の表面には、適宜のデザインを印刷したり、絵画を描いたり、文字を筆書きしたり、張り付けたりする事が自由であるので、インテリヤ性にも優れているので、飲食店等での壁材、仕切り材として有効に利用できる。
【００５２】
次に、本発明に於ける別の具体例である、ホットパネルタイプの床暖房用材料１００’の構成について、図１７を参照しながら詳細に説明する。
即ち、本発明に於ける当該第３の具体例に於いては、上記した暖房用材料１００を基本的技術構成として使用してパネルタイプの床暖房用材料１００’を形成するものであって、具体的には、図１７（Ａ）に示す様に、上記した構成を有する当該暖房用材料１００に於ける当該第１の平面板１が遠赤外線を放射する機能を有する天然石若しくは人工石で構成される板状体１２０で構成されると共に、当該第２の平面板２が、保温性若しくは断熱性を有する木製若しくは合成樹脂製板状体１２１で構成されている事を特徴とするパネル状床暖房用材料１００’である。
本発明に於ける当該パネルタイプの床暖房用材料１００’は、別の構成として、図１７（Ｂ）に示す様に、当該第１の平面板１が、熱伝導性の大なる板状体部材で構成されると共に当該第１の平面板１の外表面部に遠赤外線を放射する機能を有する天然石若しくは人工石からなる板状体１２０が接合されており、且つ、当該第２の平面板２が、保温性若しくは断熱性を有する木製若しくはＦＲＰ材を含む合成樹脂製板状体１２１で構成されている事を特徴とするパネル状床暖房用材料１００’である。
更に、上記具体例に於いて、図１７（Ｂ）に示す様に、当該ハニカム構造体３の両面に、当該第１と第２の平面板１及び２を予め接合固定した構造体を使用するものであっても良く、係る構造体を使用する事により、本発明に係る当該パネル状床暖房用材料１０を容易に且つ経済的に製造する事が可能となる。
又、上記構成に於いて、当該第１の平面板１を例えばアルミ板の様な熱伝導性の高い部材で構成し、当該第２の平面板２をＦＲＰ材からなる断熱性を有し且つ、補強効果を発揮する合成樹脂製板状体で構成することにより、当該第１の平面板１を天然石若しくは人工石からなる板状体と接合する様に使用することにより、石材からなる板状体への加熱効果を高めると共に、当該第２の平面板２が当該パネル状床暖房用材料１０の下方への撓みを完全に防止できるという好ましい効果を発揮する事が可能となる。
更に、上記具体例に於いては、当該ハニカム構造体３に当該線状或いは帯状の発熱体８を挿入する溝部６を形成する際には、ＦＲＰ材からなる合成樹脂製板状体で構成された当該第２の平面を切り削る事により、容易に当該溝部６を形成する事が可能となる。
尚、図１７（Ｃ）及び図１７（Ｄ）は、上記図１７（Ａ）及び図１７（Ｂ）に示す当該パネル状床暖房用材料１０の分解斜視図をそれぞれ示したものうるである。
【００５３】
本発明に係る上記具体例に於いて使用されうる遠赤外線を放出機能を有する遠赤外線放射層を構成する天然石若しくは人工石で構成される板状体１２０としては、火山岩、大理石、蛍石、花崗岩等から選択された天然石や、炭素、セラミックス、アルミナ、トルマリン、火山灰等を原材料として製造された人工石等が使用されるものである。
更に、本具体例に於いては、当該ハニカム構造体３の内部に配置される当該発熱体８或いは当該発熱体８を内蔵した当該補強部材９の構成並びに当該ハニカム構造体３の内部に於けるそれらの配置形状、配置本数、配線形態等は、図１乃至図１０に示されたものと同じ構成となっている。
【００５４】
一方、本発明に於ける当該パネル状床暖房用材料１００’にあっては、当該ハニカム構造体３の縦方向及び横方向の寸法が、当該第１の平面部材１或いは当該第１の平面部材１に当該遠赤外線を放出機能を有する遠赤外線放射層１２０を貼り合わせた層の縦方向及び横方向の寸法よりも短くなる様に構成されているものであり、これは、複数枚の当該パネル状床暖房用材料１００’を相互に隣接して配置した際に、通電操作に使用される各パネル状床暖房用材料１００’から外部に導出されている配線部８６、８７を当該パネル状床暖房用材料１００’の外部に顕出させることなく、その接合部下方部に収納させる為の空間部を設ける為のものである。
本発明に於いては、当該ハニカム構造体３の各角部に於いて、対応する当該第１平面部１或いは当該第１平面部１と当該遠赤外線放射層１２０を貼り合わせた層の端部より最大１０ｍｍ内側に配置される様に設計されている事が望ましい。
又、本発明に於ける当該パネル状床暖房用材料１００’にあっては、その最大厚みは、２５ｍｍであり、好ましく１５ｍｍ以下である。
【００５５】
処で、本発明に於ける当該パネル状床暖房用材料１００’にあっては、床材或いは壁材として使用される平面形状が正四角形をしたホットプレートであり、特に、最上面部には、加熱されると遠赤外線を放射する、例えば、大理石１２０を配置したもので、外観上高級感を持たせると同時に、遠赤外線による輻射熱効果により、室内を乾燥させることなく、室内及び人体を暖める事が出来る素材である。
更に当該パネル状床暖房用材料１００’は、低コスト、低電力消費量を確実に達成する為に、当該大理石板の厚みを通常の使用状態の厚みからかなり薄い厚みに設定すると共に、当該大理石が変形や破断を防止する為に、当該大理石板の下面で、軽量で、保温性、放熱性が良く、強度が大なるハニカム構造３を有する補強層の上面に、当該発熱層８から発生する熱を効率よく、全面に均等に当該大理石板１２０に伝搬させるに適したアルミ板等からなる放熱層、つまり第１の平面層１が配置されており、更に当該ハニカム構造３の下面には、木材或いは合成樹脂材からなる断熱層である第２の平面板２が接合されているという構造となっている。
尚、本具体例に於いて使用される当該線状型の発熱体８は、外部電源と接続されているリード配線にそれぞれ並列接続しようされるものであり、且つ、当該線状型の発熱体は、発熱温度と電気抵抗値とから通電量を自己制御する機能を有する、所謂ＥＰＴ−ＣＲタイプの発熱体である事が望ましい。
【００５６】
それによって、当該ホットパネル型の当該床暖房用材料１００’には、温度制御のために、別途センサーを使用する事も無いので、故障がなく、コスト低減に更に効果が発揮される。
一方、本具体例に於ける当該下層部を形成する当該第２の平面層２が例えば、木材からなる材料で構成されることは、当該木材が優れた保温性と断熱性を有すると共に、特に合板をしようすることにより、熱によるプレートの反りの問題も解決出来るばかりでなく、本物品を施工する際の基礎床部或いは基礎壁部の多くが木材であることから、接着操作をより効率的にかつより優れた接着効果が期待できる。
又、本物品の当該大理石部分の平面形状の大きさは、一辺の長さは３８０ｍｍ乃至６００ｍｍの正方形であり、一方、当該木材からなる発熱層の平面形状の大きさは、当該大理石部分の平面形状の各辺からそれぞれ１０ｍｍ程度内側に来るように設定されるものであり、係る構成により形成される内部空間部は、上記したリード配線部の収納空間として利用されるものである。
本発明に於いては、係る内部空間部を当該パネル状床暖房用材料１００’の４縁部の全てに設けておく事によって、隣接して配置される複数個の当該パネル状床暖房用材料１００’の相互の接合部分は完全に密接させる事が可能となるので、従来、一般的に使用されていた目地止め作業を省略出来、外観が極めて美麗となる。
更に、本発明に係る当該パネル状床暖房用材料１００’に於いては、その一部が故障したとしても、全体的に当該パネル状床暖房用材料１００’を取り外す必要がなく、故障が検出された当該パネル状床暖房用材料１００’のみを取り外して修理する事が出来るので、修理に要する時間の短縮と作業効率の向上とが相乗効果となり、維持管理費が大幅に減少する事になる。
【００５７】
次に、本発明に於ける異なる具体例である、炬燵パネル或いは行火パネル１００”の構成について、図１８を参照しながら詳細に説明する。
即ち、本発明に於ける当該第４の具体例に於いては、図１８（Ａ）に示す様に、上記した構成からなる当該暖房用材料１００をその基礎構成部材として使用すると共に、当該第１の平面板１が遠赤外線を放射する機能を有する天然石若しくは人工石で構成されると共に、当該第２の平面板２が、保温性若しくは断熱性を有する合成樹脂製板状体で構成されていると共に、当該第２の平面板が、当該ハニカム構造体３を含む当該基板部４の側壁周縁１５０を被覆する様に延展１２４せしめられている事を特徴とするこたつパネル若しくは行火パネル１００”である。
【００５８】
又、本発明に於ける当該異なる具体例の別の態様としては、図１８（Ｂ）に示す様に、上記した構成からなる当該暖房用材料１００をその基礎構成部材として使用すると共に、当該基板部４に於ける、当該第１の平面板１が、熱伝導性の大なる板状体部材で構成されると共に、当該第１の平面板１の外表面部に遠赤外線を放射する機能を有する天然石若しくは人工石からなる板状体からなる層状物１２２が接合されており、且つ、当該第２の平面板２が、保温性若しくは断熱性を有するＦＲＰを含む合成樹脂製板状体で構成されていると共に、当該第２の平面板が、当該基板部４の側壁周縁１５０を被覆する様に延展１２４せしめられている事を特徴とするこたつパネル若しくは行火パネル１００”で有っても良い。
本具体例に於いては、遠赤外線を放射する機能を有する天然石若しくは人工石からなる板状体からなる層状物１２２としては、例えば、花崗岩から構成されたものである事が望ましい。
更に、本具体例に於いては、図１８（Ｂ）に示す様に、当該ハニカム構造体３の下端面と当該第２の平面板２との間に、当該第２の平面板２とは別に、断熱性に優れた合成樹脂或いは木材から形成される板状体層１２３が配置されているものであっても良い。
【００５９】
更に、本具体例に於いては、図１８（Ｃ）に示されている通り、当該第２の平面板２が、当該基板部４の側壁周縁１５０を被覆する様に延展１２４せしめられていると共に、更に、当該延展１２４せしめられている部材の先端部が、当該基板部４の存在する方向に内側に略直角に折り曲げられ、その部分が当該遠赤外線を放射する機能を有する天然石若しくは人工石の周縁部で額縁部１２５を形成している事を特徴とするこたつパネル若しくは行火パネル１００”である事も好ましい具体例の一つである。
係る額縁部１２５は、当該こたつパネル若しくは行火パネル１００”の外観を美的感覚が生じる様に機能すると共に、当該こたつパネル若しくは行火パネル１００”を使用中の使用者が当該こたつパネル若しくは行火パネル１００”と接触した際の傷や擦過傷処理の発生を防ぐ安全装置としての機能を発揮するものである。
【００６０】
更に、本具体例に於いては、当該遠赤外線を放射する機能を有する天然石若しくは人工石からなる板状体層１２２の周縁部にはテーパー部１２６が形成されている事も望ましい具体例である。
又、本具体例に於ける当該ハニカム構造体部３と当該ハニカム構造体部３内部に配備される当該発熱体部８或いは当該発熱体部８を含む当該補強部材９の構成は、上記した様に図１乃至図１２に示された構成と同一のものであっても良く、特に、本具体例では当該ハニカム構造体部３内部に配備される当該発熱体部８或いは当該発熱体部８を含む当該補強部材９の数は１本で十分である。
尚、図１９（Ａ）には、本具体例を構成する各部材の積層関係を説明する斜視図であって、当該遠赤外線を放射する機能を有する板状体層１２２と熱伝導性及び放熱性の大なる板状体から構成された当該第１の平面板１と当該発熱体部８或いは当該発熱体部８を含む当該補強部材９を内蔵した当該ハニカム構造体部３とを、この順に積層したものを、断熱性を有する合成樹脂材で構成された当該第２の平面部２に相当する底部１２３とその周縁に垂直的に形成された側壁面部１２４とそれに連結されて内方面に折れ曲がって形成された当該額縁部１２５とで構成されている有底の箱体部内１３５に挿入して完成させるものである。
【００６１】
尚、当該有底の箱体部内１３５に於ける一部の側壁面部１２４には、当該発熱体部８に通電する為の配線８６、８７が外部に導出出来る様に予め形成されている第１の穴部１３２と好ましくは、当該発熱体部８に対する通電操作を制御する適宜のスイッチ部材を取り付ける為の第２の穴部１３３が設けられている事も望ましい具体例である。
又、本具体例１００”の完成品状態の斜視図が、図２０（Ａ）に示されており、又、当該完成品１００”に於けるＡ−Ａ断面図が、図２０（Ｂ）に示されており、又、当該完成品１００”に於けるＢ−Ｂ断面図が、図２０（Ｃ）に示されている。
尚、図２０（Ａ）に於ける符号１３７は、当該配線８６、８７の導出ガイド部であり、又符号１３８は当該スイッチ部を示している。
【００６２】
又、本具体例に於ける当該遠赤外線を放射する機能を有する板状体層１２２は、厚みが２ｍｍ乃至１０ｍｍで、長尺辺の長さ、３５０ｍｍ乃至４００ｍｍで、短尺辺の長さは、２５０ｍｍ乃至３００ｍｍである事が望ましい。
更に、当該第１の平面部１を構成する例えばアルミ板は、その平面形状は当該遠赤外線を放射する機能を有する板状体層１２２の平面形状と同一であってもよく、その厚みは、０．５ｍｍ乃至１ｍｍ程度が望ましい。
一方、当該ハニカム構造体３の形状は、当該アルミ板と略同じで良く、その厚みは、得は、１０ｍｍ乃至２０ｍｍで有る事が望ましく、又、当該第２の平面板２の大きさ及び厚みは、当該第１の平面板１と略同じ寸法の物であっても良い。
そして、当該パネル１００”の全体の厚みは２５ｍｍ以下に抑える事が望ましい。
【００６３】
本具体例に係る当該こたつパネル或いは行火パネル１００”は、足部を加熱・保温する為の平板状のパネルであって、主として、就寝時に、布団あるいはベットの上に置き、且つ、その上に毛布或いはシーツを被覆したうえで、その上に足部をのせて、当該足部の加熱或いは保温を行うものである。
そのため、本発明品１００”は、携帯や持ち運びに便利な様に、重量は軽い方が好ましいが、一方で、就寝中に本物品か足部の動きによって、無意識に移動させられてしまう事を防止する必要性から、一定の重量を確保する事が望まれる。
そのため、本発明品１００”は、全体の平面形状は、矩形型とし、特に、その最上面部には、加熱されると遠赤外線を放射する花崗岩からなる岩盤板部１２２が配置されており、それによって、外観上の美観と高級感を持たせると同時に、遠赤外線による輻射熱効果により、人体が輻射熱により暖められる様に構成されている。
【００６４】
その為、本発明品１００”による保温・加熱方式では、人体から水分を奪い、人体が乾燥するという問題は完全に防止でき、然も、室内全体を乾燥させることなく極めて健康的な行火が提供されることになる。
当該花崗岩からなる岩盤板部の下面には、後述する加熱層から発生する熱を効率よく、当該花崗岩からなる岩盤板部の全面に均等に伝搬させるに適したアルミ板或いはガルバニウム等からなる放熱層１が配置されており、更に当該放熱層１の下面には、ハニカム構造体３の内部に配置されている当該発熱層８又はそれを内蔵する補強材層９が接合されている。
本発明品１００”においては、当該ハニカム構造体３の内部に配置されている、一本乃至数本の当該発熱層８には、電気通電により発熱する線状型の発熱体が単独で或いは複数本が相互に並行に配列されており、当該線状型の発熱体は、外部電源と接続されているリード配線にそれぞれ並列接続使用されるものであり、且つ、当該線状型の発熱体は、発熱温度と電気抵抗値とから通電量を自己制御する機能を有する、所謂ＥＰＴ−ＣＲタイプの発熱体である事が望ましい。
【００６５】
それによって、当該行火パネルの温度制御のために、別途センサーを使用する事も無いので、故障がなくコスト低減に更に効果が発揮される。一方、本発明に係る当該ハニカム構造体３内部には、適宜の補強層９を設けることによって、当該ハニカム構造体３が優れた保温性と断熱性を有すると共に、熱による当該行火パネルプレート部の反りの問題も解決出来る。
更に、本発明に於いては、当該花崗岩からなる岩盤板部１２２と当該放熱層と当該発熱層８とがこの順番に上下方向に積層されている構造体を、別途、塩ビ等の合成樹脂材料からなる板状体で、当該積層体と略同一の平面形状を有する箱体部１３５の内部に収納されているものである。
一方、当該本発明に係る当該こたつパネル或いは行火パネル１００”に於ける当該箱体部は、その外表面には、適宜の木材を表す模様が描かれており、それが別の高級感を醸し出す効果を発揮するほか、当該箱部の上部周縁部は、当該箱部の内側に向けて折り曲げられており、それが、当該箱部の周縁壁部を補強すると同時に、当該部分が当該花崗岩からなる岩盤板部の周縁部に額縁様の外観模様を作り出し、一層美的感覚を向上させている。
【００６６】
更に、当該箱部の周縁壁部１２４の少なくとも一部を内側に折り曲げることにより、当該箱部の周縁壁部の頂点交差部を補強するとともに、当該部分の直角交差を保証する事が可能となる。
一方、当該本発明品に於ける当該花崗岩からなる岩盤板部１２２は長辺が４００ｍｍで短辺は２８０ｍｍ程度であり、又、その厚みは１７ｍｍ程度で有っても良く、その最上端面から２ｍｍ程度下がった部位迄が、当該箱部の周縁壁部の当該額縁部１２５の上端部から上方に突出しており、且当該突出している当該花崗岩からなる岩盤板部部分１２２の端縁部は、斜めにカットされたテーパー部１２６が形成されており、人体に対して障害を与えることの無い様に構成されている。
【００６７】
一方、当該箱部の平面形状に於ける長辺と短辺は、当該花崗岩からなる岩盤板部１２２は両長辺の外側に６ｍｍ程度の額縁部１２５と当該花崗岩からなる岩盤板部は両短辺の外側に２ｍｍ程度の額縁部１２５を設定する事が可能となるように設定するものである。更に、本発明における放熱層１は、０．５ないし１．０ｍｍの厚みを有し、又、当該ハニカム構造体からなる発熱層３は１０乃至２０ｍｍの厚みを有している。
一方、本発明における当該箱体部の一側壁面には、当該発熱体に電源を供給するためのリード配線部１３７とそれに隣接してオンオフスイッチ部１３６とが設けられている。
本発明に係る当該こたつパネル或いは行火パネル１００”は、上記した構成からなるものであるので、故障がなく、遠赤外線効果による血行促進と体内及び室内の水分保持が可能であり、且つ、電磁波障害もなく、長期間使用しても低温火傷を負う危険性もないという極めて健康的な加熱・保温器具であり、又、電気の消費量も少なく、１日、８時間連続使用しても、電気代は、１月で約７円程度という、著しい経済効果を発揮できる。尚、本物品は、ペット用の加熱・保温器具としても使用可能である
尚、本発明に係る当該こたつパネル若しくは行火パネル１００”は、ペット用暖房用材料である事も望ましい具体例である。
【符号の説明】
【００６８】
１…第１の平面板
１’…第１の平面板
１”…第１の平面板
２…第２の平面板
３…ハニカム構造体
３’…ハニカム構造体の一部分
３”…ハニカム構造体の一部分
４…基板部
６…切除部
７…空間部
８…帯状の長尺状発熱体部
９…第１の補強部材
９’…外層部分、被覆樹脂
１０…第２の補強部材
５３… 発熱層
５４…絶縁性合成樹脂材料層
８１、８２…一対の電極
８５、８５’ …コネクター部
８５−１、８５−２…コネクター部
８６、８７…プラグ
８８、８９…接続配線部
９１…配線部分
９２…総合補強部
１００…床パネル
１００’…別の暖房用材料
１００”…炬燵パネル或いは行火パネル
１０１、１０２…側壁面部
１０３…孔部
１１０…適宜の電源
１１２…壁部
１２１…木製若しくは合成樹脂製板状体
１２２…板状体からなる層状物
１２３…合成樹脂或いは木材から形成される板状体層
１２４…延展部
１２５…額縁部
１２６…テーパー部
１３２…第１の穴部
１３３…第２の穴部
１３５…箱体部内
１３６…スイッチ部
１３７…導出ガイド部
２００…パネル固定ピン
２００’…ハニカム部材
２０１…先端頭部
２０１’…ハニカム部材
２０１…先端頭部
２０２…後端部
２０３…弾発性のフック部
２０４…基幹円筒部
２１０…パネル固定ピン嵌合金具
２１１…パネル固定ピン受け入れ導入孔部
２１２…パネル固定ピンの先端頭部の保持部
２１５…被覆材
２１６…金属部材用接着剤
３００…壁部
３００、３０１…面状発熱体
３０２…間隙部
３０３…屋内仕切り壁
３０６…間隙
３０７…スペーサー
３０７−１、３０７−２…周縁部
３０８…帯状板部
４００…別の層
８１１、８１２…リード線
【図１】
2016085027.tif 000003
【図２】
2016085027.tif 000004
【図３】
2016085027.tif 000005
【図４】
2016085027.tif 000006
【図５】
2016085027.tif 000007
【図６】
2016085027.tif 000008
【図７】
2016085027.tif 000009
【図８】
2016085027.tif 000010
【図９】
2016085027.tif 000011
【図１０】
2016085027.tif 000012
【図１１】
2016085027.tif 000013
【図１２】
2016085027.tif 000014
【図１３】
2016085027.tif 000015
【図１４】
2016085027.tif 000016
【図１５】
2016085027.tif 000017
【図１６】
2016085027.tif 000018
【図１７】
2016085027.tif 000019
【図１８】
2016085027.tif 000020
【図１９】
2016085027.tif 000021
【図２０】
2016085027.tif 000022